(57)【特許請求の範囲】
【請求項１】
給水源(8)と貯湯タンク(2)との間に、止水弁(20)と浄水器(B)とを上流側から上記の順で介設し、貯湯タンク(2)の底部に連通したドレンパイプ(6)を、貯湯タンク(2)から浄水器(B)への方向にのみ水を流通させる逆止弁(21)を介して浄水器(B)に接続し、浄水器(B)の下流側の給水管(3)を、上記止水弁(20)と連動して、止水弁(20)が開弁状態のときは閉弁し、閉弁状態のときは開弁する連動弁(22)を介して最終排水管(50)に接続したことを特徴とする浄水器付電気温水器。
【請求項２】
給水源(8)と浄水器(B)との間に止水弁(20)を介設し、貯湯タンク(2)の底部に連通したドレンパイプ(6)を、貯湯タンク(2)から浄水器(B)への方向にのみ水を流通させる逆止弁(21)を介して浄水器(B)の流出口(16)に連通させ、浄水器(B)の流入口(15)を、上記止水弁(20)と連動して、止水弁(20)が開弁状態のときは閉弁し、閉弁状態のときは開弁する連動弁(22)介してオーバーフローパイプ(7)に連通させたことを特徴とする浄水器付電気温水器。
【請求項３】
貯湯タンク(2)に水位を検出する水位センサ(40)を配設し、給水管(3)に接続した電動三方弁(41)に、浄水器の流入口(15)とオーバーフローパイプ(7)とを接続し、浄水器(B)の流出口(16)を、貯湯タンク(2)の上方に導いた給水管(3)とドレンパイプ(6)とに接続し、ドレンパイプ(6)の中途に電磁弁(42)を介設したことを特徴とする浄水器付電気温水器。
【発明の詳細な説明】
【０００１】
【産業上の利用分野】
本発明は浄水器付電気温水器に関する。
【０００２】
【従来の技術】
従来、浄化された熱水を吐出できるようにするため、吸水源と貯湯タンクとの間に耐圧構造を有した浄化装置を配設した浄水器付貯湯型温水器がある。
【０００３】
また、特開平５−９６２７４号公報に見られるように、貯湯式給湯装置と浄水装置とを接続し、給湯装置からの熱水を利用して浄水装置内に繁殖する細菌を殺菌するようにした給湯・給水装置があった。
【０００４】
【発明が解決しようとする課題】
ところが、上記給湯・給水装置では、浄水装置が給水配管に直接設けられているため耐圧構造であることを要し、浄水装置が高価になる。そこで、耐圧構造を不要とするために貯湯タンクの下流側に浄水装置を配設することが考えられるが、この場合は浄水装置には耐熱構造が要求され、かえって高価になるという問題がある。
【０００５】
また、特開平５−９６２７４号公報では、給湯装置からの熱水で浄水装置内の細菌を殺菌することはできるが、浄水用吐出口から、殺菌のために利用した熱水が吐出するため、この熱水を飲用することも考えられ、健康を害する恐れもあった。
【０００６】
本発明は、耐圧構造も耐熱構造も必要のない浄水器付貯湯型温水器を提供すること及び浄水装置内に繁殖する細菌を貯湯タンク内の熱水で殺菌でき、しかも、その熱水を誤飲することのない浄水器付貯湯型温水器を提供することを目的とする。
【０００７】
【課題を解決するための手段】
本発明では、給水源と貯湯タンクとの間に、止水弁と浄水器とを上流側から上記の順で介設し、貯湯タンクの底部に連通したドレンパイプを、貯湯タンクから浄水器への方向にのみ水を流通させる逆止弁を介して浄水器に接続し、浄水器の下流側の給水管を、上記止水弁と連動して、止水弁が開弁状態のときは閉弁し、閉弁状態のときは開弁する連動弁を介して最終排水管に接続することにした。
【０００８】
また、本発明では、給水源と浄水器との間に止水弁を介設し、貯湯タンクの底部に連通したドレンパイプを、貯湯タンクから浄水器への方向にのみ水を流通させる逆止弁を介して浄水器の流出口に連通させ、浄水器の流入口を、上記止水弁と連動して、止水弁が開弁状態のときは閉弁し、閉弁状態のときは開弁する連動弁介してオーバーフローパイプに連通させることにした。
【０００９】
また、本発明では、貯湯タンクに水位を検出する水位センサを配設し、給水管に接続した電動三方弁に、浄水器の流入口とオーバーフローパイプとを接続し、浄水器の流出口を、貯湯タンクの上方に導いた給水管とドレンパイプとに接続し、ドレンパイプの中途に電磁弁を介設することにした。
【００１５】
【実施例】
本発明の実施例を図面を参照して説明する。
【００１６】
図１は、本発明に係る浄水器付電気温水器Ａ１の第１実施例を示しており、ケーシング１の内部上方に貯湯タンク２を配設し、その下方に浄水器Ｂや弁装置や配管等を配設している。
【００１７】
貯湯タンク２には、給水管３と、電気ヒーター４と、出湯管５と、ドレンパイプ６とオーバーフローパイプ７と、水位を検出する水位センサ４０と、タイマＴとを配設している。
【００１８】
給水管３は、上流端を外部の給水源８に接続し、同下流端を貯湯タンク２への給水を制御する制御弁Ｃとしての電磁弁Ｃ１を介し浄水器Ｂに接続し、同浄水器Ｂを経由して貯湯タンク２の水面の上方に開口しており、水位センサ４０の出力により電磁弁Ｃ１を開閉して貯湯タンク２の水位を一定に保持するようにしている。
【００１９】
電気ヒーター４は、シージングされた電熱線で構成されており、給水管３から供給された水を加熱して湯にすると共に、この湯を高温に保持するようにしている。
【００２０】
出湯管５は、貯湯タンク２中の水面から所定高さだけ低い位置に基端を開口し、先端部にカラン１０を取付けており、同カラン１０から貯湯タンク２中の湯を取り出せるようにしている。
【００２１】
ドレンパイプ６は、貯湯タンク２の底部に接続しており、中途に設けたドレンバルブ１１の開放によって、貯湯タンク２中の湯を全部排出できるようにしている。
【００２２】
オーバーフローパイプ７は、貯湯タンク２中の水面よりも高位置に開口しており、貯湯タンク２から水や湯があふれ出すのを防止するようにしている。
【００２３】
浄水器Ｂは、ケース１４中に、ホーローファイバー等の濾過材や、活性炭等の吸着剤を充填して、流入口１５から流入した水を浄化して流出口１６から吐出するように構成されている。
【００２４】
上記のように、貯湯タンク２への給水を制御する制御弁Ｃとしての電磁弁Ｃ１を浄水器Ｂの上流側に設けたことにより、給水圧が浄水器Ｂに作用しなくなり、したがって、浄水器Ｂに耐圧構造を要しないことになる。
【００２５】
図２は、第２実施例の電気温水器Ａ２を示しており、始端を給水源８に接続した給水管３を一旦貯湯タンク２の上方まで立ち上げて、その上端部に貯湯タンク２への給水を制御する制御弁ＣとしてのボールタップＣ２を設け、同ボールタップＣ２から貯湯タンク２の下方まで立ち下げて下端部に浄水器Ｂを接続し、同浄水器Ｂから再び立ち上げて、終端を貯湯タンク２の上方に開口している。
【００２６】
ボールタップＣ２は、水面の昇降に追従して昇降するフロートＣ３によって、閉弁または開弁するように構成されており、貯湯タンク２の水位を一定に保持する機能を有している。
【００２７】
このように、浄水器Ｂの上流側に設ける制御弁Ｃをボールタップ１４にしたことにより、電気回路等を要せず構造を簡単にしコストを低減することができる。
【００２８】
図３は、第３実施例の電気温水器Ａ３を示しており、給水源８と浄水器Ｂとの間に止水弁２０を介設して給水を断接できるようにすると共に、貯湯タンク２の底部に連通したドレンパイプ６を、貯湯タンク２から浄水器Ｂへの方向にのみ水を流通させる逆止弁２１を介して浄水器Ｂの流入口１５に接続し、浄水器Ｂとボールタップ９との間の給水管３を、上記止水弁２０と連動して作動する連動弁２２を介して最終排水管５０に接続している。
【００２９】
連動弁２２は、図４で示すように、バルブケーシング２３の内部をダイヤフラム２４で仕切って、貯湯タンク２と連通した弁室２５と、連通管２６を介して前記止水弁２０と浄水器Ｂとの間の給水管３と連通したダイヤフラム背室２７とを形成し、弁室２５中に排水弁座２８を形成して、上記ダイヤフラム背室２７が高圧になったとき、ダイヤフラム２４の下面で排水弁座２８を閉じ、同ダイヤフラム背室２７が低圧になったとき、排水弁座２８を開くようにしている。図中、２９は閉弁状態を確実にするためのスプリングである。
【００３０】
したがって、止水弁２０を開くと自動的に連動弁２２が閉じ、給水源８からの水は浄水器Ｂとボールタップ９とを介し、貯湯タンク２に給水したり、一定の水位を保持したりすることができる。
【００３１】
また、止水弁２０を閉じると自動的に連動弁２２が開いて、貯湯タンク２中の熱水が逆止弁２１を介し浄水器Ｂに流入し、ドレンパイプ６から外部に排出される。
【００３２】
このように浄水器Ｂ中を熱水が通過する際に、浄水器Ｂ内部を殺菌することができる。
【００３３】
このように、止水弁２０と連動弁２２とを連動させ、しかも、止水弁２０を開弁したときには連動弁２２が閉弁し、止水弁２０を閉弁したときには連動弁２２が開弁するようにしたことで、止水弁２０を閉弁したときには、貯湯タンク２中の熱水を自動的に浄水器Ｂに流して、同浄水器Ｂの内部を殺菌することができる。
【００３４】
特に、活性炭を用いた浄水器では、熱によって活性炭が賦活するので、浄水器の耐用期間を延長することができる。
【００３５】
また、上記止水弁２０を電磁弁で構成すると共に、タイマーを用いて定期的に浄水器Ｂの殺菌を行うようにすることもできる。
【００３６】
図５は、第４実施例を示しており、この電気温水器Ａ４は、ドレンパイプ６を前記と同一構成の逆止弁２１を介して浄水器Ｂの流出口１６に連通させ、浄水器Ｂの流入口１５を前記と同一構成の連動弁２２を介してオーバーフローパイプ７に連通させて、止水弁２０を開弁したときには連動弁２２が閉弁し、止水弁２０を閉弁したときには連動弁２２が開弁するようにしている。
【００３７】
かかる構成によって、止水弁２０を閉弁したときには、貯湯タンク２中の熱水が流出口１６から浄水器Ｂの内部に流入し、流入口１５からオーバーフローパイプ７を通って外部に排出されることになり、熱水が浄水器Ｂの内部を逆方向にながれることから、殺菌ばかりでなく、浄水器Ｂの内部に配設した濾材等が捕捉した濾滓等を効果的に洗い流すことができ、浄水器Ｂの機能を効果的に再生することができる。
【００３８】
図６は、第５実施例を示しており、この電気温水器Ａ５は、貯湯タンク２に水位を検出する水位センサ４０を配設し、電動三方弁４１に給水管３と浄水器の流入口１５とオーバーフローパイプ７とを接続し、浄水器Ｂの流出口１６を、貯湯タンク２の上方に導いた給水管３とドレンパイプ６とに接続している。なお、ドレンパイプ６の中途に電磁弁４２を介設している。
【００３９】
かかる構成によって、水位センサ４０からの水位検出出力に基づいて電動三方弁４１を制御して、貯湯タンク２の水位を所定水位に保持することができ、特に、浄水器Ｂの上流側で貯湯タンク２への水流を制御するので、浄水器Ｂの流出口１６常に開放しており、したがって、耐圧構造の浄水器Ｂを必要としない。
【００４０】
また、電磁弁４２を開弁し、電動三方弁４１を操作して貯湯タンク２への給水を停止し、浄水器Ｂとオーバーフローパイプ７を連通させることで、貯湯タンク２中の熱水を浄水器Ｂの内部に流して、これを洗浄及び殺菌することができ、かかる浄水器Ｂの洗浄及び殺菌をタイマーを用いて、毎日、毎週、或いは毎月１回等定期的に浄水器Ｂの殺菌を行うようにすることもできる。
【００４１】
図７は、第６実施例の電気温水器Ａ６を示しており、給水管３の中途に上流側から減圧弁１２と浄水器Ｂとを上記の順で接続すると共に、前記ボールタップ９と並列的に圧力逃し弁１３を接続し、同圧力逃し弁１３からの水の排出端を貯湯タンク２の上方に開口したバイパス流路５１に接続している。
【００４２】
減圧弁１２は、水源からの給水圧を所定圧力まで減圧しながら、水を浄水器Ｂに流すように構成されている。
【００４３】
圧力逃し弁１３は、給水管３の先端部を分岐して、その分岐端に接続されており、給水管３中の水の圧力が設定圧力よりも高くなったとき、クラックして給水管３中の水をバイパス流路５１を介して貯湯タンク２に流出させることにより、給水管３中の圧力を低下させるものである。
【００４４】
かかる構成によって、水源からの給水圧が減圧弁１２によって所定圧力まで減圧されて浄水器Ｂに伝達されるので、浄水器Ｂに過大な圧力が作用せず、したがって、高価な耐圧構造を必要としない。
【００４５】
また、万一、減圧弁１２が故障するなどして、給水圧が減圧されずに浄水器Ｂに伝達された場合には、圧力逃し弁１３がクラックして給水管３中の水を貯湯タンク２に放出することで、給水圧を低下させて浄水器Ｂを保護することができる。なお、この際に放出された水は貯湯タンク２で回収されるので、無駄に水を放出するのが防止される。
【００４６】
【発明の効果】
本発明によれば、浄化された熱水を吐出できる浄水器付貯湯型温水器において、給水源と貯湯タンクとの間に、浄水器を介設すると共に、該浄水器の上流側に貯湯タンクへの給水を制御する制御弁を配設したことによって、浄水器に給水圧が作用せず、したがって、耐圧構造を有しない浄水器を使用することができるようになり、コストを低減させることができる。
【００４７】
また、前記制御弁は、貯湯タンクの水位により開閉を制御するボールタップにより構成したことによって、水位制御構造を簡単にしてコストを低減させることができる。
【００４８】
また、給水源と浄水器との間に止水弁を介設し、貯湯タンクの底部に連通したドレン管を、貯湯タンクから浄水器への方向にのみ水を流通させる逆止弁を介して浄水器に接続し、浄水器とボールタップとの間の給水管を、上記止水弁と連動して、止水弁が開弁状態のときは閉弁し、閉弁状態のときは開弁する連動弁を介してドレンパイプに接続したことによって、止水弁を閉弁したときに、貯湯タンク中の熱水を自動的に浄水器に流して、同浄水器の内部を殺菌したり浄化性能を再生することができる。
【００４９】
また、給水源と浄水器との間に止水弁を介設し、貯湯タンクの底部に連通したドレン管を、貯湯タンクから浄水器への方向にのみ水を流通させる逆止弁を介して浄水器の流出口に連通させ、浄水器の流入口を、上記止水弁と連動して、止水弁が開弁状態のときは閉弁し、閉弁状態のときは開弁する再生弁を介してオーバーフローパイプに連通させたことによって、止水弁２０を閉弁したときに、貯湯タンク中の熱水が流出口から浄水器の内部に流入し、流入口からオーバーフローパイプを通って外部に排出されることになり、熱水が浄水器の内部を逆方向に流れることから、殺菌ばかりでなく、浄水器の内部に配設した濾過材等が捕捉した濾滓等を効果的に洗い流すことができ、浄水器の機能を効果的に再生して、浄水器の使用期限を延長することができる。
【００５０】
また、貯湯タンクに水位を検出する水位センサを配設し、給水管に接続した三方弁に、浄水器の流入口とオーバーフローパイプとを接続し、浄水器の流出口を、貯湯タンクの上方に導いた給水管とドレン管とに接続し、ドレン管の中途に電磁弁を介設したことによって、水位センサからの水位検出出力に基づいて三方弁を制御して、貯湯タンクの水位を所定水位に保持することができ、特に、浄水器の上流側で貯湯タンクへの水流を制御するので、浄水器の流出口が常に開放しており、したがって、耐圧構造を要せず浄水器を安価なものにすることができる。
【００５１】
また、電磁弁を開弁し、三方弁を操作して貯湯タンクへの給水を停止し、浄水器とオーバーフローパイプを連通させることで、貯湯タンク中の熱水を浄水器の内部に流して、これを殺菌したり浄化性能を再生することができる。
【００５２】
上記のように、浄水器が熱水と接触するのが再生時だけであるから、浄水器が受ける熱の影響が少なく、したがって、耐熱構造を要せず浄水器を安価なものとすることができる。
【００５３】
また、貯湯タンクに、ボールタップを介し貯湯タンクの水面の上方に開口した給水管の中途に、上流側から給水圧を所定水圧まで低下させる減圧弁と浄水器とを上記の順で接続すると共に、前記ボールタップと並列的に所定圧力以上になると給水管中の水を貯湯タンクに放出する圧力逃し弁を接続したことによって、水源からの給水圧が減圧弁によって所定圧力まで減圧されて浄水器に伝達されるので、浄水器に過大な圧力が作用せず、したがって、高価な耐圧構造を要せず、浄水器を安価なものにすることができる。
【００５４】
また、万一、減圧弁が故障するなどして、給水圧が浄水器に伝達された場合には、圧力逃し弁がクラックして給水管中の水を貯湯タンクに放出することで、給水圧を低下させて浄水器を保護することができる。なお、この際に放出された水は貯湯タンクで回収されるので、無駄に水を放出するのが防止される。
【図面の簡単な説明】
【図１】本発明に係る電気温水器の構成を示す説明図（第１実施例）。
【図２】本発明に係る電気温水器の構成を示す説明図（第２実施例）。
【図３】本発明に係る電気温水器の構成を示す説明図（第３実施例）。
【図４】連動弁の構成を示す断面説明図。
【図５】本発明に係る電気温水器の構成を示す説明図（第４実施例）。
【図６】本発明に係る電気温水器の構成を示す説明図（第５実施例）。
【図７】本発明に係る電気温水器の構成を示す説明図（第６実施例）。
【符号の説明】
Ｂ  浄水器
Ｃ  制御弁
２  貯湯タンク
３  給水管
６  ドレンパイプ
７  オーバーフローパイプ
９  ボールタップ
１２  減圧弁
１３  圧力逃し弁
１６  流出口
１５  流入口
２０  止水弁
２１  逆止弁ンサ
２２  連動弁
３０  再生弁
４０  水位センサ
４１  電動三方弁
４２  電磁弁
５１  バイパス流路
【図１】
0003572707.tif 000002
【図２】
0003572707.tif 000003
【図３】
0003572707.tif 000004
【図４】
0003572707.tif 000005
【図５】
0003572707.tif 000006
【図６】
0003572707.tif 000007
【図７】
0003572707.tif 000008